(57)【要約】【課題】トイレを使用するたびにリモコンの操作部を使いやすい状態とするトイレ装置を提供する。【解決手段】衛生洗浄機能部を有する機能部と、前記機能部から離間して設けられ、前記衛生洗浄機能部の制御に関する操作スイッチが配設された操作面を有し、前記衛生洗浄機能部を遠隔制御可能としたリモコンと、を備え、前記リモコンは、前記機能部からの出力信号を受信することにより、前記操作面を隠蔽した第１の状態と、前記操作面を露出させた第２の状態と、のいずれかに切り替える駆動部を有することを特徴とするトイレ装置を提供する。【選択図】図８
2009041208.tif 000002
【特許請求の範囲】
【請求項１】
衛生洗浄機能部を有する機能部と、
前記機能部から離間して設けられ、前記衛生洗浄機能部の制御に関する操作スイッチが配設された操作面を有し、前記衛生洗浄機能部を遠隔制御可能としたリモコンと、
を備え、
前記リモコンは、前記機能部からの出力信号を受信することにより、前記操作面を隠蔽した第１の状態と、前記操作面を露出させた第２の状態と、のいずれかに切り替える駆動部を有することを特徴とするトイレ装置。
【請求項２】
衛生洗浄機能部を有する機能部と、
前記機能部から離間して設けられ、前記衛生洗浄機能部の制御に関する操作スイッチが配設された操作面を有し、前記衛生洗浄機能部を遠隔制御可能としたリモコンと、
を備え、
前記リモコンは、前記機能部からの出力信号を受信することにより、前記操作面を後退させた第１の状態と、前記操作面を突出させた第２の状態と、のいずれかに切り替える駆動部を有することを特徴とするトイレ装置。
【請求項３】
前記リモコンは、前記第１の状態と前記第２の状態のいずれに切り替えるかを前記出力信号の内容に応じて選択し前記駆動部を制御する制御部をさらに有することを特徴とする請求項１または２に記載のトイレ装置。
【請求項４】
前記衛生洗浄機能部が使用されることを前記機能部に設けられた検出手段が検出したときに出力される前記出力信号により、前記操作面が前記第２の状態に切り替えられることを特徴とする請求項１または２に記載のトイレ装置。
【請求項５】
前記衛生洗浄機能部が洗浄動作を実行する準備が整ったことに対応して出力される前記出力信号に基づいて、前記操作面が前記第２の状態に切り替えられることを特徴とする請求項１または２に記載のトイレ装置。
【請求項６】
前記衛生洗浄機能部において生成される温水の温度が所定の温度に達したことを前記検出手段が検出したときに、前記操作面が前記第２の状態に切り替えられることを特徴とする請求項４記載のトイレ装置。
【請求項７】
前記衛生洗浄機能部に設けられた流路において水が流れたことを前記検出手段が検出したときに、前記操作面が前記第２の状態に切り替えられることを特徴とする請求項４記載のトイレ装置。
【請求項８】
前記第１の状態において、前記機能部が付設された便器に洗浄水を流すための操作スイッチが、前記リモコンの前面に露出してなることを特徴とする請求項１〜７のいずれか１つに記載のトイレ装置。
【請求項９】
前記第２の状態において、前記操作スイッチの少なくともいずれかは、前記出力信号の内容に応じて前記衛生洗浄機能部の制御の代わりに、前記機能部が付設された便器に洗浄水を流すための操作スイッチとして機能することを特徴とする請求項１または２に記載のトイレ装置。
【請求項１０】
衛生洗浄機能部を有する機能部と、
前記機能部から離間して設けられ、前記衛生洗浄機能部の制御に関する操作スイッチが配設された操作面を有し、前記衛生洗浄機能部を遠隔制御可能としたリモコンと、
人体検知手段と、
を備え、
前記リモコンは、前記人体検知手段からの出力信号を受信することにより、前記操作面を隠蔽した第１の状態と、前記操作面を露出させた第２の状態と、のいずれかに切り替える駆動部を有することを特徴とするトイレ装置。
【請求項１１】
衛生洗浄機能部を有する機能部と、
前記機能部から離間して設けられ、前記衛生洗浄機能部の制御に関する操作スイッチが配設された操作面を有し、前記衛生洗浄機能部を遠隔制御可能としたリモコンと、
人体検知手段と、
を備え、
前記リモコンは、前記人体検知手段からの出力信号を受信することにより、前記操作面を後退させた第１の状態と、前記操作面を突出させた第２の状態と、のいずれかに切り替える駆動部を有することを特徴とするトイレ装置。
【発明の詳細な説明】
【技術分野】
【０００１】
本発明は、トイレ装置に関し、より具体的には、トイレ室に設置され温水洗浄便座装置などの操作をするリモコンを備えたトイレ装置に関する。
【背景技術】
【０００２】
便器の前に立った状態や便座に座った状態で便器に付設された機器に指示を与えたり、トイレの環境制御のための指示を行うためのリモコンは、トイレの壁に取付けられることが多い。例えば、便座に座った使用者の「おしり」などに水を噴射して洗浄可能とした衛生洗浄装置をリモコンにより操作可能とすると、使い勝手がよい。  
便座に座った状態におけるリモコンの操作性を良くするためには、リモコンの操作部を壁から便座方向に突出させ、操作部を使用者に近づけるのが好ましい（特許文献１〜３）。また、人体検知センサが人体を検知しているときのみ液晶表示部を作動させるリモコンが開示されている（特許文献４）。
【特許文献１】特開２００１−５５７７４号公報（図４、図５、図１７）
【特許文献２】特開昭６１−２０７７３６号公報
【特許文献３】特開平１１−７１７９９号公報（図４、図５）
【特許文献４】特開平８−２８００７７号公報
【発明の開示】
【発明が解決しようとする課題】
【０００３】
しかし、特許文献１〜３に開示された技術では、使用者がリモコンを手で動かすことにより操作部を近づける構造であるため、リモコンの操作部が出しっぱなしにされるおそれがある。リモコンの操作部が出しっぱなしにされると、壁から突出した状態となった操作部が、トイレの清掃の邪魔になったり、便座に座る際に邪魔になるなどの問題が発生する。また、例えば手を怪我している場合などは、便座に座ってからリモコンを引き出すような動作は行いにくいという点でも改善の余地がある。
【０００４】
また、特許文献１に開示されたリモコンのように、使わない状態において、操作部をトイレ内に出っ張らないようにリモコンを取付けた棚の下などに収納することもできる。しかし、一般的にはリモコンは壁面に露出していることが多いため、たとえば来客にとってはリモコンが仕舞われていると、リモコンの在り処がわかりにくい。またさらに、トイレに衛生洗浄装置が設置されていることさえわからないという状況が生ずることもあり得る点で、使用者にとって真に使いやすいものとはなっていない。
【０００５】
本発明は、トイレを使用するたびにリモコンの操作部を使いやすい状態とするトイレ装置を提供する。
【課題を解決するための手段】
【０００６】
本発明の一態様によれば、衛生洗浄機能部を有する機能部と、前記機能部から離間して設けられ、前記衛生洗浄機能部の制御に関する操作スイッチが配設された操作面を有し、前記衛生洗浄機能部を遠隔制御可能としたリモコンと、を備え、前記リモコンは、前記機能部からの出力信号を受信することにより、前記操作面を隠蔽した第１の状態と、前記操作面を露出させた第２の状態と、のいずれかに切り替える駆動部を有することを特徴とするトイレ装置が提供される。
【０００７】
また、本発明の他の一態様によれば、衛生洗浄機能部を有する機能部と、前記機能部から離間して設けられ、前記衛生洗浄機能部の制御に関する操作スイッチが配設された操作面を有し、前記衛生洗浄機能部を遠隔制御可能としたリモコンと、を備え、前記リモコンは、前記機能部からの出力信号を受信することにより、前記操作面を後退させた第１の状態と、前記操作面を突出させた第２の状態と、のいずれかに切り替える駆動部を有することを特徴とするトイレ装置が提供される。
【０００８】
また、本発明の他の一態様によれば、衛生洗浄機能部を有する機能部と、前記機能部から離間して設けられ、前記衛生洗浄機能部の制御に関する操作スイッチが配設された操作面を有し、前記衛生洗浄機能部を遠隔制御可能としたリモコンと、人体検知手段と、を備え、前記リモコンは、前記人体検知手段からの出力信号を受信することにより、前記操作面を隠蔽した第１の状態と、前記操作面を露出させた第２の状態と、のいずれかに切り替える駆動部を有することを特徴とするトイレ装置が提供される。
【０００９】
また、本発明の他の一態様によれば、衛生洗浄機能部を有する機能部と、前記機能部から離間して設けられ、前記衛生洗浄機能部の制御に関する操作スイッチが配設された操作面を有し、前記衛生洗浄機能部を遠隔制御可能としたリモコンと、人体検知手段と、を備え、前記リモコンは、前記人体検知手段からの出力信号を受信することにより、前記操作面を後退させた第１の状態と、前記操作面を突出させた第２の状態と、のいずれかに切り替える駆動部を有することを特徴とするトイレ装置が提供される。
【発明の効果】
【００１０】
本発明によれば、トイレを使用するたびにリモコンの操作部を使いやすい状態とするトイレ装置を提供できる。
【発明を実施するための最良の形態】
【００１１】
以下、図面を参照しつつ本発明の実施の形態について説明する。なお、各図において類似する要素には同一の符号を付して、詳細な説明は適宜省略する。  
図１は、本実施形態のトイレ装置が設置されたトイレ空間を例示する模式図である。
【００１２】
すなわち、トイレ室９００には、衛生洗浄機能などを有する機能部８１０が設けられた便器８００と、この機能部８１０の動作を遠隔制御するリモコン２００と、を有するトイレ装置が設置されている。リモコン２００は、便器８００の脇に設けられたカウンターの棚板１００の下に取り付けられている。リモコン２００は、例えば、便器８００の便蓋や便座を電動により開閉したり、また機能部８１０に設けられた衛生洗浄機能部や、便器８００に洗浄水を流す便器洗浄機能部などを操作するために用いることができる。また、リモコン２００は、図示しない照明装置、音楽や効果音などを発生する音響装置、テレビやラジオ、暖房などの空調装置などを操作するために用いることも可能である。
【００１３】
リモコン２００の下には、トイレットペーパー５９０を保持するペーパーホルダ５００が設けられている。また、図１に例示したように、棚板１００の下には、キャビネット６００を設置してもよい。またさらに、棚板１００には、水栓１７０を付設した手洗いボウル１６０を設けてもよい。また、トイレ室の壁面に鏡９１０を設けて、ドレッサーとしての機能を付与してもよい。
【００１４】
図２は、リモコン２００の外観を表す斜視図である。  
また、図３及び図４は、リモコン２００の可動部２２０が前方に開いた状態を表す斜視図である。  
リモコン２００の前面には、第１の操作面２１０と、可動部２２０と、が併設されている。本実施例のリモコン２００の場合、待機状態において、第１の操作面２１０がリモコン２００の前面に露出し、一方、可動部２２０の化粧面２２１がリモコン２００の前面に露出している。第１の操作面２１０には、後に詳述するように、便器８００に「大洗浄」の洗浄水を流す「大」スイッチ２１２Ａや、便器８００に「小洗浄」の洗浄水を流す「小」スイッチ２１２Ｂなどのスイッチが設けられている。これらのスイッチ類は、リモコン２００が有するスイッチ類の中で最も使用頻度が高く、またいずれも便座８０２（図５参照）に座らずに便器８００の前に立った状態において使用する可能性が高いものである。本具体例においては、このように使用頻度が最も高く、また立った状態で使用される可能性が高いスイッチ類を、第１のグループとして、第１の操作面２１０に配置している。
【００１５】
待機状態においては、これら第１の操作面２１０と、可動部２２０の化粧面２２１と、は、略同一の平面を構成する。つまり、すっきりとして見栄えがよくスリムな外観が与えられている。
【００１６】
一方、可動部２２０は、その下方の長手方向を軸として回動可能とされている。例えば、便座８０２（図５参照）に使用者が座ると、便器８００に付設された機能部８１０に設けられた人体検知センサが人体を検知し、図３及び図４に表したように、可動部２２０が前方に開く。可動部２２０が開くと、待機状態においては隠蔽されていた第２の操作面２２２がリモコン２００の前方に露出する。第２の操作面２２２は、便座８０２（図５参照）に座った使用者に対面するように傾斜した状態に保持される。このようにして、便座８０２に座った使用者は、操作面２２２に設けられたスイッチを操作しやすく、また表示も確認しやすくなる。
【００１７】
図５は、本実施形態のトイレ装置の要部構成を例示するブロック図である。
【００１８】
機能部８１０は、第１の人体検知センサ（人体検知センサＡ）８１２、第２の人体検知センサ（人体検知センサＢ）８１４、第３の人体検知センサ（人体検知センサＣ）８１６を有する。
【００１９】
これら人体検知センサ８１２、８１４、８１６からの検知情報は、制御部８２０に入力される。また、機能部８１０には、衛生洗浄機能部８３０と、電波送信部８４０と、赤外受信部８５０と、が設けられている。衛生洗浄機能部８３０は、ノズルから吐水させることにより使用者の「おしり」などを洗浄する機能などを有する。電波送信部８４０は、リモコン２００に向けて電波を送信する。赤外受信部８５０は、リモコン２００から発せられた赤外線信号を受信する。
【００２０】
制御部８２０は、人体検知センサ８１２、８１４、８１６や、赤外受信部８５０から得られる情報に基づいて、衛生洗浄機能部８３０の動作を制御する。またさらに、制御部８２０は、人体検知センサ８１２、８１４、８１６において得られた検知情報を電波送信部（出力信号送信部）８４０からリモコン２００に向けて送信させる。
【００２１】
一方、リモコン２００には、可動部２２０を駆動する駆動部２７０が設けられている。駆動部２７０の動作は、制御部２４０により制御される。またさらに、リモコン２００には、機能部８１０の電波送信部８４０から送信された電波を受信する電波受信部２３０と、機能部８１０の赤外受信部８５０に赤外線信号を送信する赤外送信部２５０と、が設けられている。
【００２２】
図６は、本実施形態のトイレ装置の一部の構成の詳細を例示するブロック図である。  
機能部８１０に設けられた衛生洗浄機能部８３０は、温水の生成流路を開閉する開閉弁８３７と、温水の生成流路を流れる水の温度を検出するサーミスタなどの温水温度検出手段８３１と、温水ヒータ駆動部８３２と、温水ヒータ８３３と、を有する。制御部８２０は、温水温度検出手段８３１による検知結果に基づいて、温水ヒータ駆動部８３２を駆動させ、温水ヒータ８３３を加熱することにより、開閉弁８３７を開いて外部から供給された水を加熱する。加熱された水は、便座８０２（図５参照）に座った使用者の「おしり」などに向けて吐水され、洗浄動作が実行される。
【００２３】
衛生洗浄機能部８３０は、また、便座ヒータ駆動部８３５を有する。制御部８２０は、便座８０２（図５参照）に内蔵された便座温度検出手段８３４による検知結果に基づいて、便座ヒータ駆動部８３５を駆動させ、便座８０２に内蔵された便座ヒータ８３６を加熱することにより、便座８０２を暖房する。これにより、冬場などの気温の低い状態においても、使用者は「ヒヤリ感」を感ずることなく便座８０２に座ることができる。  
機能部８１０には、半導体メモリなどからなる記憶装置８２２が適宜設けられ、制御部８２０の制御動作に必要とされるソフトウエアやデータが格納されている。  
一方、リモコン２００にも半導体メモリなどからなる記憶装置２４２が適宜設けられ、制御部２４０の制御動作に必要とされるソフトウエアやデータが格納されている。
【００２４】
図７は、機能部８１０に設けられた人体検知センサの検知範囲を例示する模式図である。
【００２５】
図５に関して前述した第１の人体検知センサ８１２は、例えば焦電センサや赤外線投光式センサなどからなり、図５及び図７に符号Ａで表したように、便器８００の前方の広い範囲を検知する。これにより、例えば、トイレ室９００のドア９０２（図５参照）を開けて使用者が入室すると直ちに検知可能とされている。
【００２６】
第２の人体検知センサ８１４は、例えば赤外線投光式センサなどからなり、図５及び図７に符号Ｂで表したように、便器８００の前に立った使用者を検知する。一方、第３の人体検知センサ８１６は、赤外線投光式センサなどからなり、図５及び図７に符号Ｃで表したように、便座８０２に座った使用者を検知する。
【００２７】
なお、図５〜図７には、人体検知センサＡ８１２、人体検知センサＢ８１４、人体検知センサＣ８１６が機能部８１０に設けられた具体例を表したが、本発明はこれには限定されない。この他にも、例えば、これら人体検知センサの少なくともいずれかを機能部８１０とは別体として設けたものも本発明の範囲に包含される。具体的には、例えば、人体検知センサを機能部８１０ともリモコン２００とも別体のユニットとして、トイレ室９００の壁面や、天井、床面などに配置してもよい。または、リモコン２００がビルトインされたカウンターに人体検知センサを配置してもよい。そして、これらいずれの場合も、人体検知センサからの出力信号に基づいて、リモコン２００の可動部２２０の動作が制御可能とされる。
【００２８】
図８は、本実施形態のトイレ装置において実行される動作を例示するフローチャートである。  
すなわち、リモコン２００の可動部２２０が図２に表したように閉状態（第２の操作面２２２が隠蔽された状態）である場合（ステップＳ１０２：ｙｅｓ）は、着座センサ（人体検知センサＣ）８１６が使用者を検知したか否かを判定する（ステップＳ１０４）。  
着座センサ８１６が使用者を検知した場合（ステップＳ１０４：ｙｅｓ）は、リモコン２００の可動部２２０が図３及び図４に表したように前方に開く（ステップＳ１０６）。
【００２９】
以上説明した動作は、例えば以下の方法により実現が可能である。  
すなわち、機能部８１０の制御部８２０が着座センサ８１６から人体検知信号を受け取ると、電波送信部（出力信号送信部）８４０から電波により出力信号を送信する。リモコン２００の電波受信部（出力信号受信部）２３０がこの出力信号を受け取ると、制御部２４０は駆動部２７０を駆動させ、可動部２２０を開かせる。
【００３０】
図９は、本実施形態のトイレ装置において実行される動作を例示するフローチャートである。  
すなわち、リモコン２００の可動部２２０が図３及び図４に表したように開状態（第２の操作面２２２が露出した状態）である場合（ステップＳ２０２：ｙｅｓ）は、着座センサ（人体検知センサＣ）８１６が使用者を非検知になったか否かを判定する（ステップＳ２０４）。  
着座センサ８１６が使用者を非検知となった場合（ステップＳ２０４：ｙｅｓ）は、リモコン２００の可動部２２０が図２に表したように後方に閉じる（ステップＳ２０６）。
【００３１】
以上説明した動作は、例えば以下の方法により実現が可能である。  
すなわち、機能部８１０の制御部８２０が着座センサ８１６から人体検知信号を受け取っている間は、電波送信部（出力信号送信部）８４０から電波により出力信号を送信する。リモコン２００の電波受信部（出力信号受信部）２３０がこの出力信号を受け取っている間は、制御部２４０は駆動部２７０を駆動させて、可動部２２０を開かせた状態を維持する。そして、例えば、リモコン２００の電波受信部（出力信号受信部）２３０が出力信号を受け取らない期間が所定の時間だけ続くと、制御部２４０は駆動部２７０を駆動させて、可動部２２０を図２に表したように閉じる。
【００３２】
図１０は、リモコン２００の操作面の遷移を例示する模式図である。  
図１０（ａ）に表したように、可動部２２０が閉じた状態においては、  第１の操作面２１０がリモコン２００の前面に露出し、一方、可動部２２０の化粧面２２１がリモコン２００の前面に露出している。
【００３３】
第１の操作面２１０には、便器８００に「大洗浄」の洗浄水を流す「大」スイッチ２１２Ａ、便器８００に「小洗浄」の洗浄水を流す「小」スイッチ２１２Ｂ、便座８０２及び便蓋を電動で閉じる「閉じ」スイッチ２１２Ｃ、便蓋を電動で開く「便蓋」スイッチ２１２Ｄ、便座を電動で開く「便座」スイッチ２１２Ｅ、可動部２２０を前方に開くスイッチ２１２Ｆがそれぞれ設けられている。これらのスイッチ類は、リモコン２００が有するスイッチ類の中で最も使用頻度が高く、またいずれも便座８０２（図５参照）に座らずに便器８００の前に立った状態において使用する可能性が高いものである。本実施形態においては、このように使用頻度が最も高く、また立った状態で使用される可能性が高いスイッチ類を、第１のグループとして、リモコン２００の第１の操作面２１０に配置している。
【００３４】
図１０（ｂ）〜（ｄ）は、可動部２２０が開いて露出した第２の操作面２２２を正面から眺めた模式図である。  
第２の操作面２２２には、表示部２１５と、使用者が便座８０２に座った状態において操作する可能性が高いスイッチ類と、が設けられている。すなわち、吐水などの動作を停止する「止」スイッチ２２３Ａ、「おしり」に向けて吐水させる「おしり」スイッチ２２３Ｂ、吐水に広がりを与える「やわらか」スイッチ２２３Ｃ、ビデ洗浄を実行させる「ビデ」スイッチ２２３Ｄ、温風を噴出させて「おしり」などに乾燥させる「乾燥」スイッチ２２３Ｅ、吐水の位置を前後に変更する「洗浄位置」スイッチ２２３Ｆ、吐水の水勢を変更する「水勢」スイッチ２２３Ｇ、吐水位置を自動的に変化させる「ムーブ」スイッチ２２３Ｈ、吐水にマッサージ効果を与える「マッサージ」スイッチ２２３Ｉ、使用者が便座８０２から離れると脱臭ファンの回転数を一定期間だけ上昇させる「パワー脱臭」スイッチ２２３Ｊ、各種の設定を実行するための「設定」スイッチ２２３Ｋなどが設けられている。表示部２１５は、これらスイッチ類の機能などを表示する。
【００３５】
これらのスイッチ類は、いずれも便座８０２に座った状態の使用者が操作する可能性が高いものである。そして、本実施形態によれば、このように、リモコン２００が有するスイッチ類のうちで、２番目に使用頻度が高いスイッチ類を第２のグループとして第２の操作面２２２に配置している。また、本実施形態によれば、便座８０２に座った使用者は、第２の操作面２２２に設けられたこれらのスイッチやその表示類を楽な姿勢で容易に操作し確認することができる。
【００３６】
またさらに、第２の操作面に設けられた「設定」スイッチ２２３Ｋを押すと、第２の操作面２２２の表示部２１５が設定用の表示に切り替わるようにしてもよい。  
図１０（ｃ）及び（ｄ）は、第２の操作面２２２に表示される設定用の表示内容を例示する模式図である。  
図１０（ｃ）は、図１０（ｂ）に表した状態から「設定」スイッチ２２３Ｋを一度だけ押した時に表れる設定用の表示を例示する模式図である。  
すなわち、「止」スイッチ２２３Ａの右側には、吐水の温度を設定するスイッチ２２３Ｌ、便座８０２の暖房温度を設定するスイッチ２２３Ｍ、乾燥のための温風の温度を設定するスイッチ２２３Ｎ、温風を外部に吹き出してトイレ空間を暖房するための温風の設定スイッチ２２３Ｏ、進退自在な吐水ノズルを掃除するために進出した状態に維持させるノズルそうじスイッチ２２３Ｐ、便器８００のボウルの封水の水位を低下させて掃除を可能とした便器そうじスイッチ２２３Ｑなどが表示される。つまり、図１０（ｂ）に表したものと同一の操作スイッチが、異なる機能を有する状態に遷移し、それぞれの機能の内容などが表示部２１５に表示される。
【００３７】
そして、図１０（ｃ）に表したように設定用の画面が表示された状態において、「設定」スイッチ２２３Ｋをもう一度押すと、図１０（ｄ）に表したように、第２の設定用の表示に切り替えられる。
【００３８】
図１０（ｄ）に表した状態においては、「止」スイッチ２２３Ａの右側には、機能部８１０の制御部８２０において、トイレ装置の使用頻度などが学習され、その結果に基づいて節電運転が適宜実施される「おまかせ節電」スイッチ２２３Ｓ、タイマーにより所定の時間に節電する「タイマー節電」２２３Ｔ、人体検知センサが使用者を検知すると便器８００のボウルに予め少量の洗浄水を流す「オートプレ洗浄」スイッチ２２３Ｕ、人体検知センサが使用者を検知すると便蓋が電動で開き、非検知で閉じる「オートふた開閉」スイッチ２２３Ｖ、人体検知センサが使用者を検知した後に非検知になると便器８００に自動的に洗浄水を流す「オート洗浄」スイッチ２２３Ｗ、トイレ空間を暖房する室暖機能に関する設定スイッチ２２３Ｘ、時刻の設定スイッチ２２３Ｙが表示される。つまり、図１０（ｂ）や図１０（ｃ）に表したものと同一の操作スイッチが、さらに異なる機能を有する状態に遷移する。
【００３９】
そして、図１０（ｄ）に表したように、第２の設定用の画面が表示された状態において、「設定」スイッチ２２３Ｋをもう一度押すと、図１０（ｂ）に表したように、第２の操作面２２２の表示に切り替えられる。
【００４０】
このように、操作面により操作される機能を複数の階層に分け、表示部２１５の表示を変えることによって、通常の動作の制御と、各種の設定と、を同一のスイッチにより操作することができる。
【００４１】
図１１は、リモコン２００の操作面の遷移の第２の具体例を例示する模式図である。  
本具体例においては、図１１（ａ）に表したように、待機状態において、リモコン２００の前面に露出する操作スイッチは、可動部２２０を前方に開くスイッチ２１２Ｆのみである。
【００４２】
そして、機能部８１０から出力信号が送信されると、図１１（ｂ）に表したように、可動部２２０が動いて第２の操作面２２２が表れる。具体的には、例えば、人体検知センサＡ８１２（または人体検知センサＢ８１４）が使用者を検知すると、図１１（ｂ）に表した状態となる。図１１（ｂ）に表した状態は、図１０に関して前述した具体例の第１の操作面２１０と同様の操作が可能とされている。すなわち、  便器８００に「大洗浄」の洗浄水を流す「大」スイッチ２１２Ａ、便器８００に「小洗浄」の洗浄水を流す「小」スイッチ２１２Ｂ、便蓋を電動で開く「便蓋」スイッチ２１２Ｃ、便座を電動で開く「便座」スイッチ２１２Ｄ、便座８０２及び便蓋を電動で閉じる「閉じ」スイッチ２１２Ｅがそれぞれ設けられている。
【００４３】
そして、機能部８１０からさらに異なる出力信号が送信されると、図１１（ｃ）に表したように、第２の操作面２２２の表示が遷移する。具体的には、例えば、着座センサ８１６が使用者を検知すると、図１１（ｃ）に表した状態となる。この状態は、図１０（ｂ）に関して前述したものと同様である。その後、図１１（ｄ）及び図１１（ｅ）に表した設定用の表示についても、図１０（ｃ）及び図１０（ｄ）に関して前述したものと同様である。なお、着座センサ８１６が使用者を検知しなくなると、第２の操作面２２２の表示は、図１１（ｃ）に表した状態から図１１（ｂ）に表した状態となる。
【００４４】
つまり、本具体例においては、待機状態において、可動部２２０を前方に開くスイッチ２１２Ｆ以外の全てのスイッチを含む操作面が隠蔽された状態にある。このようにすると、待機状態において非常にすっきりとした外観が得られる。
【００４５】
図１２は、リモコン２００の可動部２２０の駆動機構を例示する模式断面図である。  
可動部２２０は、その長手方向の下方に設けられた回動軸２２５により回動自在に軸支されている。そして、可動部２２０を駆動する駆動部２７０は、可動部２２０に結合された駆動アーム２７１と、駆動アーム２７１に結合されたベルト２７２と、ベルト２７２を張支する一対のプーリー２７３と、プーリー２７３を回転させるモータ２７４と、を有する。モータ２７４の回転がベルト２７２に伝達され、駆動アーム２７１を駆動させることにより、可動部２２０を回動軸２２５の回りに回動させ、リモコン２００の前面から前方下方に向けて開くことができる。
【００４６】
またさらに、図１２に表した具体例の場合、第１の操作面２１０が設けられた部分も前方にスライド可能とされている。すなわち、第１の操作面２１０が設けられた可動部を駆動する駆動部２６０は、例えば駆動アーム２６１と、駆動アーム２６１に結合されたベルト２６２と、ベルト２６２を張支する一対のプーリー２６３と、プーリー２６３を回転させるモータ２６４と、を有する。モータ２６４の回転がベルト２６２に伝達され、駆動アーム２６１を駆動させることにより、図１３に例示した如く、第１の操作面２１０が設けられた可動部を前後に進退させることができる。この場合、第１の操作面２１０が設けられた可動部が引き出された状態において、その上面に第３の操作面２１３を設けることができる。
【００４７】
本具体例においては、プーリーとベルトによる動力伝達を採用しているので、例えば駆動部２６０、２７０の動作中に使用者が誤って指などをはさんだような場合でも、ベルト２６２、２７２が空転あるいはプーリーから脱落することにより、安全性が確保される。
【００４８】
なお、第１の操作面２１０が設けられた可動部や可動部２２０を駆動させる機構としては、この他にも例えば、モータとギアとを組み合わせたものや、バネとダンパーとを組み合わせたもの、電磁ソレノイドを利用したものなど各種の機構を用いることができる。
【００４９】
図１４は、リモコン２００の可動部２２０の駆動機構の第２の具体例を例示する模式断面図である。  
本具体例においては、可動部２２０は、その長手方向の上方に設けられた回動軸２２５により回動自在に軸支されている。そして、図１２に関して前述したものと同様に、可動部２２０を駆動する駆動部２７０は、可動部２２０に結合された駆動アーム２７１と、駆動アーム２７１に結合されたベルト２７２と、ベルト２７２を張支する一対のプーリー２７３と、プーリー２７３を回転させるモータ２７４と、を有する。モータ２７６４の回転がベルト２７２に伝達され、駆動アーム２７１を駆動させることにより、可動部２２０を回動軸２２５の回りに回動させ、リモコン２００の前面から前方上方に向けて突出させることができる。
【００５０】
つまり、本具体例の場合には、第２の操作面２２２は、常にリモコン２００の前面に露出した状態にある。そして、駆動部２７０の動作により駆動アーム２７１が前方に押し出されると、可動部２２０が後退した状態から前方に突出し、第２の操作面２２２は斜め上方を向いて突出した状態となる。つまり、第２の操作面２２２は後退した状態から使用者の方向に突出し、使用者は、表示の確認やスイッチ操作を確実且つ容易に実施することができる。
【００５１】
以下、本実施形態のトイレ装置において、リモコン２００の可動部２２０が駆動されるトリガの具体例について説明する。  
図１５は、本実施形態のトイレ装置において可動部２２０が開かれる動作を例示するフローチャートである。  
リモコン２００の可動部２２０が図２に表したように閉状態である場合（ステップＳ１０２：ｙｅｓ）は、人体検知センサＡ８１２（または人体検知センサＢ８１４）が使用者を検知したか否かを判定する（ステップＳ１０８）。  
着座センサ８１６が使用者を検知した場合（ステップＳ１０８：ｙｅｓ）は、リモコン２００の可動部２２０が図３及び図４に表したように前方に開く（ステップＳ１０６）。
【００５２】
図８に関して前述したものと同様に、以上説明した動作も、例えば以下の方法により実現が可能である。  
すなわち、機能部８１０の制御部８２０が人体検知センサ８１２（または人体検知センサ８１４）から人体検知信号を受け取ると、電波送信部（出力信号送信部）８４０から電波により出力信号を送信する。リモコン２００の電波受信部（出力信号受信部）２３０がこの出力信号を受け取ると、制御部２４０は駆動部２７０を駆動させ、可動部２２０を開かせる。
【００５３】
図１６は、本実施形態のトイレ装置において可動部２２０を閉じる動作を例示するフローチャートである。  
また、図１７は、具体例の動作に対応したタイミングチャートである。
【００５４】
リモコン２００の可動部２２０が図３及び図４に表したように開状態である場合（ステップＳ２０２：ｙｅｓ）は、着座センサ（人体検知センサＣ）８１６が使用者を非検知になったか否かを判定する（ステップＳ２０４）。  
着座センサ８１６が使用者を検知している場合（ステップＳ２０４：ｎｏ）は、ディレイタイマをセットして（ステップＳ２０８）、ステップＳ２０２に戻る。一方、着座センサ８１６が使用者を非検知となった場合（ステップＳ２０４：ｙｅｓ）は、ディレイタイマをスタートさせる（ステップＳ２１０）。そして、ディレイタイマによるカウントが終了したか否かを判定する（ステップＳ２１２）。カウントが終了していない場合（ステップＳ２１２：ｎｏ）には、ステップＳ２０２に戻り、可動部２２０が開いて（ステップＳ２０２：ｙｅｓ）、着座センサ８１６が非検知（ステップＳ２０４：ｙｅｓ）であれば、ディレイタイマのカウントをそのまま継続させる（ステップＳ２１０）。  
そして、ディレイタイマのカウントが終了したら（ステップＳ２１２：ｙｅｓ）、可動部２２０を閉じる（ステップＳ２０６）。
【００５５】
すなわち、本具体例においては、着座センサ８１６が非検知となった状態が所定時間Ｔ（ディレイタイマのカウント時間）だけ維持された場合に、可動部２２０を閉じる。このようにすれば、例えば、便座８０２に座った使用者が一時的に立ち上がり、その後すぐに便座８０２に座り直したような場合にも、可動部２２０は使用者の動作にあわせて無駄な開閉をすることなく開いた状態を維持する。つまり、使用者は慌てることがなく落ち着いてリモコン２００を操作できる。
【００５６】
なお、本具体例の動作は、例えば、リモコン２００の制御部２４０が機能部８１０から出力信号を受信しなくなったと判定した時に、ディレイタイマをスタートさせ、カウントが終了したら可動部２２０を閉じるようにすることができる。
【００５７】
図１８は、本実施形態のトイレ装置において可動部２２０を閉じる動作のもうひとつの具体例を例示するフローチャートである。  
本具体例においては、図１６及び図１７に関して前述した具体例における着座センサ８１６の代わりに、人体検知センサＡ８１２（または人体検知センサＢ８１４）による非検知の有無を判定する（ステップＳ２１４）。つまり、本具体例においては、人体検知センサＡ８１２（または人体検知センサＢ８１４）が非検知となった状態が所定時間Ｔ（ディレイタイマのカウント時間）だけ維持された場合に、可動部２２０を閉じる。
【００５８】
このようにすれば、例えば、トイレ装置を使用した使用者がトイレから退出し所定時間が経過した後に可動部２２０を閉じることができ、使用者に見せることなく可動部２２０を閉じることができる。なお、本具体例において、ディレイタイマによる遅延を与えずに、人体検知センサＡ８１２（または人体検知センサＢ８１４）が非検知となった場合に、直ちに可動部２２０を閉じるようにしてもよい。
【００５９】
図１９は、本実施形態における可動部２２０の開動作のトリガを説明するためのタイミングチャートである。  
本実施形態のトイレ装置の衛生洗浄機能部８３０においては、吐水ノズルから吐水させる温水の生成流路に残留した冷水を予め排出する「捨て水」動作を実行可能とすることができる。すなわち、使用者が便座８０２に座ったことを着座センサ８１６が検知すると、制御部８２０（図６参照）は、吐水ノズルに至る温水の吐水経路に設けられた温水ヒータを加熱しつつ、開閉弁８３７を所定の時間だけ開き、温水の生成流路に残留した冷水を吐水ノズルの先端などから排出させて、流路を温水により置換する。こうすることにより、使用者が吐水ノズルによる洗浄を開始した場合に、最初から所定の温水を吐水させ、ヒヤリ感なく快適に使用することができる。
【００６０】
図１９に表した具体例の場合、着座センサ８１６が使用者を検知（ＯＮ）すると、所定時間（例えば、１秒）後に、制御部８２０（図６参照）は、捨て水動作のための信号を出力する。これにより、温水の生成流路に設けられた開閉弁８３７が所定時間だけ開かれて、流路に残留した冷水を排出することができる。
【００６１】
そして、本具体例においては、制御部８２０から出力される捨て水動作のための信号に基づいて、可動部２２０を開く。すなわち、捨て水動作のための信号に対応して、出力信号送信部８４０（図６参照）から出力信号を送信する。リモコン２００の出力信号受信部２３０がこの出力信号を受信すると、制御部２４０は駆動部２７０を駆動させて可動部２２０を開く。
【００６２】
図１９に表した具体例についてさらに説明すると、着座センサ８１６の検知（ＯＮ）が時間ｔ１だけ継続した後に、時間ｔ２だけ非検知（ＯＦＦ）となっている。これは例えば、使用者が便座８０２から少しだけ立ち上がりまたすぐに座ったような場合に対応する。頻繁な捨て水動作を防止するため、時間ｔ２が短い場合には、着座センサ８１６が再び検知（ＯＮ）となっても捨て水動作を実行しない。具体的には、例えば、着座センサ８１６が非検知の状態が５秒以下の場合には、再び検知（ＯＮ）状態になっても、捨て水動作を実行しない。従って、本具体例においては、このような場合に、制御部８２０は、出力信号送信部８４０から出力信号を送信しない。
【００６３】
一方、着座センサ８１６が非検知の状態が、例えば５秒よりも長い時間ｔ３だけ継続した場合には、再び検知（ＯＮ）となったら、所定時間（例えば、１秒）後に、御部８２０（図６参照）は、捨て水動作のための信号を出力する。この場合も、捨て水動作の信号に対応して出力信号送信部８４０（図６参照）から出力信号を送信する。リモコン２００の出力信号受信部２３０がこの出力信号を受信すると、制御部２４０は駆動部２７０を駆動させて可動部２２０を開く。  
本具体例によれば、着座センサ８１６の検知信号を用いるのではなく、捨て水動作のための信号を出力信号として、可動部２２０を開く。すなわち、出力信号の送信は、着座センサ８１６の検知から所定時間（例えば、１秒）の後であり、また、非検知状態が所定時間（例えば、５秒）以上継続しない場合は、着座センサ８１６が検知しても出力信号を送信しない。  
本具体例によれば、捨て水動作により衛生洗浄機能が使用可能な状態になったことに対応して、可動部２２０を開くことができる。つまり、可動部２２０が開いて操作可能となるタイミングと、衛生洗浄機能の準備が完了するタイミングと、を整合させることができ、使い勝手のよいトイレ装置を提供できる。  
なお、本具体例において可動部２２０を閉じる動作は、例えば、図１６や図１８に関して前述したものとすることができる。
【００６４】
一方、本実施形態において、前述した捨て水動作に関連して、温水の生成流路における水（温水）の温度に基づいて出力信号を送信することもできる。  
図２０は、捨て水動作に対応して温水の生成流路で生ずる温度の変化を例示する模式図である。  
また、図２１は、捨て水動作に対応する温水の温度変化を例示するタイミングチャートである。
【００６５】
図２０（ａ）に表した具体例の場合、捨て水動作が開始されると、温水温度検出手段８３１（図６参照）の検出温度は上昇する。これは、捨て水動作によって、温水を生成する流路が冷水から温水に置換されるからである。従って、例えば、温水温度検出手段８３１の検出値が所定値に達したら、図２１に表したように、出力信号送信部８４０（図６参照）から出力信号を送信し、リモコン２００の可動部２２０を開かせることができる。このようにすれば、温水流路が温水により置換されたタイミングと、可動部２２０が開いて操作可能となるタイミングと、を整合させることができる。つまり、使用者が第２の操作面２２２に設けられたスイッチを操作して吐水させる時には、温水流路は温水により置換されており、最初から適温の温水を吐水させることができる。
【００６６】
つまり、捨て水動作により流路を水が流れることを検出して、可動部２２０を開いてもよい。この場合、流路を水が流れることを検出する手段としては、温水温度検出手段８３１の他にも、例えば、流路に設けられた圧力センサや流量センサなども挙げることができる。
【００６７】
一方、図２０（ｂ）に表した具体例の場合、捨て水動作の開始と同時に、温水温度検出手段８３１の検出値は上昇を開始するが、所定値に達する前に、所定時間（例えば１５秒）が経過した場合は、捨て水動作を終了する。これは、捨て水動作による水の消費を抑制するためである。  
このような場合に、捨て水動作の終了とともに、可動部２２０を開かせてもよい。すなわち、捨て水動作の終了とともに、出力信号送信部８４０（図６参照）から出力信号を送信し、リモコン２００の可動部２２０を開かせることができる。
【００６８】
一方、図２０（ｃ）に表した具体例の場合、捨て水動作により、温度検出手段８３１の検出値が所定値（例えば、４５℃）を超えている。このような場合には、捨て水動作を開始または終了しても、可動部２２０を開かないように制御することもできる。すなわち、温度検出手段８３１の検出値が所定の範囲を超えた高温の場合には、リモコン２００の第２の操作面２２２による操作を禁止する。このようにすれば、何らかの原因で高温の温水が生成された場合でも、これが使用者に吐水されることを防止できる。
【００６９】
図２２は、温水温度検出手段８３１の検出値に基づいて可動部２２０を開かせる具体例を説明するための模式図である。  
例えば、温水が生成される流路に残留した水の温度が、目標の温水の温度よりも低い場合には、図２２（ａ）に表したように、捨て水動作の開始とともに、温度検出手段８３１の検出値は上昇する。これは、流路に残留する冷水がヒータにより加熱された温水により置換されるからである。  
一方、温水が生成される流路に残留した水の温度が、目標の温水の温度よりも高い場合には、図２２（ｂ）に表したように、捨て水動作の開始とともに、温度検出手段８３１の検出値は低下する。これは、流路に残留する水（温水）のほうがヒータにより加熱された温水よりも暖かいからである。  
これらいずれの場合も、捨て水動作の開始とともに、温度検出手段８３１の検出値が変動する。そこで、この検出値の変動に基づいて可動部２２０を開くことができる。具体的には、温度検出手段８３１の検出値の所定時間あたりの変化が所定値以上である場合に、出力信号送信部８４０（図６参照）から出力信号を送信する。リモコン２００の出力信号受信部２３０がこの出力信号を受信すると、制御部２４０は駆動部２７０を駆動させて可動部２２０を開く。このようにすれば、可動部２２０をより早いタイミングで開かせることが可能となる。  
例えば、１秒間に０．８℃以上の変動がある場合に、可動部２２０を開かせることができる。ただし、この場合でも、例えば図２０（ｃ）に関して前述したように、温度検出手段８３１の検出値が所定の上限を超えた場合には、可動部２２０を開かせず、使用を禁止するようにしてもよい。
【００７０】
図２３は、便座温度検出手段８３４の検出値に基づいて可動部２２０を開かせる具体例を表すタイミングチャートである。  
便座８０２（図５参照）には、サーミスタなどの便座温度検出手段８３４が内蔵されている（図６参照）。使用者が便座に座ると、便座温度検出手段８３４の検出値は殆どの場合に変動する。例えば、冬場に便座８０２を便座ヒータ８３６により暖房している場合、使用者が便座８０２に座ると、図２３に表したように、便座温度検出手段８３４の検出値は低下する場合が多い。  
またこれとは逆に、夏場は、使用者が便座８０２に座ると、便座温度検出手段８３４の検出値は上昇することもある。
【００７１】
そこで、本実施形態においては、便座温度検出手段８３４の検出値の変動に応じて可動部２２０を開くことができる。具体的には、例えば、便座温度検出手段８３４の検出値の所定時間あたりの変化が所定値以上である場合に、出力信号送信部８４０（図６参照）から出力信号を送信する。リモコン２００の出力信号受信部２３０がこの出力信号を受信すると、制御部２４０は駆動部２７０を駆動させて可動部２２０を開く。このようにしても、可動部２２０を早いタイミングで開かせることが可能となる。  
ここで、可動部２２０を開くための便座温度検出手段８３４の温度変化の閾値は、便座８０２の暖房やトイレ空間の気温の変化などによる温度変化よりも大きいものとすれば、誤判断を防止できる。
【００７２】
以上、具体例を参照しつつ、本発明の実施の形態について説明した。しかし、本発明は、これらの具体例に限定されるものではない。例えば、図１乃至図２３に関して前述した各具体例が有する特徴は、技術的に可能な範囲において適宜組み合わせることができ、これらも本発明の範囲に包含される。  
また、トイレ装置の構造や、その初期化動作の内容についても、図１乃至図２３に関して前述したものには限定されず、当業者が適宜設計変更することにより本発明を同様に実施し、同様の効果を得ることができるものも本発明の要旨を含む限り、本発明の範囲に包含される。例えば、吐水ノズルは、水圧により進退するものであってもよく、あるいはひとつあるいは複数のシリンダ体の内部にスライド可能とされた多段式の構造を有するものであってもよい。
また、機能部８１０からリモコン２００へ人体検知情報を送信するのに代えて、機能部８１０の制御部８２０で人体検知情報に基づいてリモコン２００を駆動する信号を送信するようにしてもよい。その場合、図１６や図１８に関して前述したディレイタイマは機能部８１０に組み込まれ、人体検知情報から所定時間Ｔ経過後に可動部２２０を動作させる信号を出力する。  
また、表示部２１５に機能部８１０の設定状態を表示するようにして、表示部２１５が常に露出するようにリモコン２００の前面に設けるようにしてもよい。その場合、可動部２２０の第２の操作面２２２には表示部を設けなくてもよい。
【００７３】
また、本実施形態のトイレ装置は、衛生洗浄機能を有する便器には限定されず、その他、トイレ空間に設置可能な各種の機能を備えることができる。  
図２４は、リモコン２００により制御されるトイレ装置を例示するブロック図である。  すなわち、トイレには、便器８００に付設された機能部８１０の他にも、トイレ装置の一部として、例えば電気温水器ユニット６１０、サウンドユニット６２０、照明ユニット６３０、芳香ユニット６４０、室内暖房ユニット７００などを設けることができる。そして、これらのユニットの動作は、リモコン２００により制御することができる。
【００７４】
機能部８１０からリモコン２００への人体検知情報の送信は、例えば電波により実行される。一方、リモコン２００から機能部８１０やその他の各ユニットへの制御信号の送信は、例えば赤外線により実行される。このように異なる媒体を用いることで、出力信号と制御信号とが干渉することを防止できる。また、出力信号を電波で送信することにより、例えば、機能部８１０からみてカウンターの奥にリモコン２００の電波受信部２３０が設置されたような場合でも、出力信号を確実に伝送できる。
【００７５】
リモコン２００からこれらのうちで、例えば、サウンドユニット６２０や照明ユニット６３０は、機能部８１０から送信される出力信号に基づいて自動的に動作を開始させてもよい。つまり、トイレ９００に使用者が入室すると、サウンドユニット６２０が自動的に音楽や効果音などを鳴らし、照明ユニット６３０は自動的に照明を点灯させることができる。このようにすれば、リモコン２００やそれぞれのユニットに人体検知センサを設ける必要がなく、機能部８１０に設けられた人体検知センサやその他の各種のトリガを共用することが可能となる。その結果として、共通の人体検知情報に基づいてシステムを統一的に制御でき、コストも低減できる。
【図面の簡単な説明】
【００７６】
【図１】本発明の実施形態のトイレ装置が設置されたトイレ空間を例示する模式図である。
【図２】リモコン２００の外観を表す斜視図である。
【図３】リモコン２００の可動部２２０が前方に開いた状態を表す斜視図である。
【図４】リモコン２００の可動部２２０が前方に開いた状態を表す斜視図である。
【図５】本実施形態のトイレ装置の要部構成を例示するブロック図である。
【図６】本実施形態のトイレ装置の一部の構成の詳細を例示するブロック図である。
【図７】機能部８１０に設けられた人体検知センサの検知範囲を例示する模式図である。
【図８】本実施形態のトイレ装置において実行される動作を例示するフローチャートである。
【図９】本実施形態のトイレ装置において実行される動作を例示するフローチャートである。
【図１０】リモコン２００の操作面の遷移を例示する模式図である。
【図１１】リモコン２００の操作面の遷移の第２の具体例を例示する模式図である。
【図１２】リモコン２００の可動部２２０の駆動機構を例示する模式断面図である。
【図１３】第１の操作面２１０が設けられた可動部を前方にスライドさせた状態を表す模式図である。
【図１４】リモコン２００の可動部２２０の駆動機構の第２の具体例を例示する模式断面図である。
【図１５】本実施形態のトイレ装置において可動部２２０が開かれる動作を例示するフローチャートである。
【図１６】本実施形態のトイレ装置において可動部２２０を閉じる動作を例示するフローチャートである。
【図１７】具体例の動作に対応したタイミングチャートである。
【図１８】本実施形態のトイレ装置において可動部２２０を閉じる動作のもうひとつの具体例を例示するフローチャートである。
【図１９】本実施形態における可動部２２０の開動作のトリガを説明するためのタイミングチャートである。
【図２０】捨て水動作に対応して温水の生成流路で生ずる温度の変化を例示する模式図である。
【図２１】捨て水動作に対応する温水の温度変化を例示するタイミングチャートである。
【図２２】温水温度検出手段８３１の検出値に基づいて可動部２２０を開かせる具体例を説明するための模式図である。
【図２３】便座温度検出手段８３４の検出値に基づいて可動部２２０を開かせる具体例表すタイミングチャートである。
【図２４】リモコン２００により制御されるトイレ装置を例示するブロック図である。
【符号の説明】
【００７７】
１００ 棚板、１６０ ボウル、１７０ 水栓、２００ リモコン、２１０ 操作面、２１２Ａ スイッチ、２１２Ｂ スイッチ、２１２Ｃ スイッチ、２１２Ｄ スイッチ、２１２Ｅ スイッチ、２１２Ｆ スイッチ、２１３  操作面、２１５ 表示部、２２０ 可動部、２２１ 化粧面、２２２ 操作面、２２３Ａ スイッチ、２２３Ｂ スイッチ、２２３Ｃ スイッチ、２２３Ｄ スイッチ、２２３Ｅ スイッチ、２２３Ｆ スイッチ、２２３Ｇ スイッチ、２２３Ｈ スイッチ、２２３Ｉ スイッチ、２２３Ｊ スイッチ、２２３Ｋ スイッチ、２２３Ｌ スイッチ、２２３Ｍ スイッチ、２２３Ｎ スイッチ、２２３Ｏ 設定スイッチ、２２３Ｐ スイッチ、２２３Ｑ スイッチ、２２３Ｓ スイッチ、２２３Ｕ スイッチ、２２３Ｖ スイッチ、２２３Ｗ スイッチ、２２３Ｘ 設定スイッチ、２２３Ｙ 設定スイッチ、２２５ 回動軸、２３０ 出力信号受信部（電波受信部）、２４０ 制御部、２４２ 記憶装置、２５０ 赤外送信部、２６０ 駆動部、２６１ 駆動アーム、２６２ ベルト、２６３ プーリー、２６４ モータ、２７０ 駆動部、２７１ 駆動アーム、２７２ ベルト、２７３ プーリー、２７４ モータ、５００ ペーパーホルダ、５９０ トイレットペーパー、６００ キャビネット、６１０ 電気温水器ユニット、６２０ サウンドユニット、６３０ 照明ユニット、６４０ 芳香ユニット、７００ 室内暖房ユニット、８００ 便器、８０２ 便座、８１０ 機能部、８１２ 人体検知センサ、８１４ 人体検知センサ、８１６ 人体検知センサＣ（着座センサ）、８２０ 制御部、８２２ 記憶装置、８３０ 衛生洗浄機能部、８３１ 温水温度検出手段、８３２ 温水ヒータ駆動部、８３３ 温水ヒータ、８３４ 便座温度検出手段、８３５ 便座ヒータ駆動部、８３６ 便座ヒータ、８４０ 出力信号送信部（電波送信部）、８５０ 赤外受信部、９００ トイレ室、９０２ ドア、９１０ 鏡
【図１】
2009041208.tif 000003
【図２】
2009041208.tif 000004
【図３】
2009041208.tif 000005
【図４】
2009041208.tif 000006
【図５】
2009041208.tif 000007
【図６】
2009041208.tif 000008
【図７】
2009041208.tif 000009
【図８】
2009041208.tif 000010
【図９】
2009041208.tif 000011
【図１０】
2009041208.tif 000012
【図１１】
2009041208.tif 000013
【図１２】
2009041208.tif 000014
【図１３】
2009041208.tif 000015
【図１４】
2009041208.tif 000016
【図１５】
2009041208.tif 000017
【図１６】
2009041208.tif 000018
【図１７】
2009041208.tif 000019
【図１８】
2009041208.tif 000020
【図１９】
2009041208.tif 000021
【図２０】
2009041208.tif 000022
【図２１】
2009041208.tif 000023
【図２２】
2009041208.tif 000024
【図２３】
2009041208.tif 000025
【図２４】
2009041208.tif 000026